(57)【要約】【課題】電動機おける耐電食性と回転精度、高効率性を両立した新規な構成の電動機及びそれを備えた電気機器を提供する。【解決手段】固定子鉄心１１には、固定子鉄心１１を絶縁するインシュレータとしての樹脂１３が介在して、固定子巻線１２が巻装されている。そして、このような固定子鉄心１１は、他の固定部材とともにモールド材としての樹脂製のケーシング２１にてモールド成形されている。モールド一体成形することにより、外形が概略円筒形状をなす固定子１０が構成されている。固定子１０の内側には、空隙を介して回転子１４が挿入されている。回転子１４は、回転子の鉄心３１を含む円板状の回転体３０と、回転体３０の中央を貫通するようにして回転体３０を締結したシャフト１６とを有している。回転体３０は、固定子１０の内周側に対向して周方向に永久磁石であるフェライト樹脂の磁石３２を保持している。【選択図】図１
2015023648.tif 000002
【特許請求の範囲】
【請求項１】
巻線を巻装した固定子と、前記固定子に対向して周方向に永久磁石を保持した回転体と、前記回転体を締結したシャフトとを含む回転子と、前記固定子が収容されると共にモールド成型により一体固定された樹脂製のケーシングとを備えた電動機において、前記樹脂製のケーシングには前記シャフトを回転自在に支承する軸受部を有する電動機。
【請求項２】
請求項１記載の電動機において、前記樹脂製のケーシングは、前記軸受部の材料組成と、前記軸受部を除く前記樹脂製のケーシングの材料組成とが異なる電動機。
【請求項３】
請求項２記載の電動機において、前記樹脂製のケーシングは、２色成型によって一体に成型される電動機。
【請求項４】
請求項１記載の電動機において、２色成型によって一体に成型される前記軸受部の材料組成と、前記軸受部を除く前記樹脂製のケーシングの材料組成との境界面は、前記軸受部の基部近傍である電動機。
【請求項５】
請求項１記載の電動機において、前記軸受部は、前記シャフトの軸方向の回転子側のみ、前記シャフトの負荷側のみ又は前記シャフトの軸方向の回転子側と負荷側の両方、のいずれかに突出する筒形状である電動機。
【請求項６】
請求項１記載の電動機において、前記軸受部は、筒形状の内面部の、前記シャフトの軸方向又は／及び周方向に潤滑材を収容する溝部を有する電動機。
【発明の詳細な説明】
【技術分野】
【０００１】
本発明は、電動機に関して、特に軸受の電食の耐電食性と回転精度、高効率性を両立するように改良された電動機に関する。
【背景技術】
【０００２】
周知のとおり、正弦波による対称三相交流回路において各相の回路条件を等しくするときは、Ｙ結線の中性点は常に一定値を示し、電源側のＹ結線の中性点と負荷側のＹ結線の中性点との間には、電位差は生じない。なお、この際の三相電源の正弦波は、高調波成分を含まない無歪の正弦波であることが、前提であることは言うまでもない。
【０００３】
また、三相回路の各相の回路ループの条件が不平衡のときは、Ｙ結線の負荷側の中性点は零電位ではなく、ある値の電位を示す。これらのことは、例えば特許文献１などのとおり、良く知られている。なお、軸電圧の観測は、三相交流回路のいずれかの回路箇所や、便宜的に設けた分圧回路の中点による擬似的中性点などとの電位差として測定するなどの多少の工夫を要するものである。
【０００４】
実際の対称三相交流回路においては、種々の要因により、三相電源の不平衡や、三相電源の正弦波に若干の高調波成分を含み、電源側のＹ結線の中性点及び負荷側のＹ結線の中性点に多少の電位の発生が観測される。さらに、この中性点の電位変化に起因して、発電機の回転軸や、電動機の回転軸に誘起される電圧値、所謂、軸電圧が観測される。この軸電圧は、回転軸を回転自在に支承する軸受けの内輪へも印加されることとなる。
【０００５】
一方、軸受けの外輪は、電気的には発電機又は電動機の外郭や、接地部位と接続されているために、軸受けの内輪の電位とは、異なる電位となり、軸受けの内輪と外輪間には電位差が生じる。そして、軸受けの転動体を介して、外輪と内輪とが電気的に接続されると、外輪、転動体、内輪、これらの間に放電が起きる。この放電の箇所には放電痕が生じ、この放電痕を電食と呼称している。そして、この放電痕、つまり電食によって軸受けの回転には不具合を起こす。
【０００６】
例えば、特許文献２〜４などに記されているように、三相電源の発電機には、発電機の組み立ての不整に起因する磁気回路の不平衡によって、対称三相交流が得られずに不平衡の三相交流が生じ、中性点電位発生に起因する軸電圧が発生する。また、発電機の励磁巻線の励磁電源が、サイリスタ等による励磁装置である場合は、励磁巻線に高調波を多量に含む非正弦波波形の電圧が印加されることとなる。この非正弦波波形の電圧は、励磁巻線ほかの発電機の構成部材による等価インピーダンス成分を介して、上述の励磁装置の励磁電力に起因する軸電圧の発生となる。
【０００７】
また、前述の特許文献などに記されているように、発電機特有の現象としては、蒸気タービンの羽に衝突した蒸気の一部がイオン化して、帯電する。そして、蒸気のイオン化による電荷は、発電機の構成部材による等価インピーダンス成分を介して回転軸へと伝わり、発電機の軸電圧として現れて、軸受けの電食を招くことが知られている。
【０００８】
一方、三相交流回路における負荷側の電動機においても、例えば特許文献５などに記されているように、三相交流の不平衡に起因する軸電圧による軸受けの電食の発生が知られている。また、同文献等に記されているように、電動機をインバータ装置を用いて駆動した場合には、電源のスイッチング毎に一瞬に起こる電圧不平衡により非常に高い周波数成分（数ＭＨｚ）の中性点電位の変動に起因する軸電圧（軸電流）が発生し、電動機の軸受けの電食が生じる。
【０００９】
昨今、回転電機の分野にては、インバータ装置による駆動技術が隆盛を極めている。このインバータ装置による駆動は、無歪の正弦波電圧原による駆動とは全く異なるものであり、矩形波状の電圧源を構成して、擬似的な三相駆動を図っている。インバータ装置による駆動では、上述の特許文献５ごとく、中性点電位の変動に起因する軸電流（軸電圧）が発生し、電動機の軸受けの電食が生じ易い。
【００１０】
周知のとおり、インバータ装置による駆動は、無歪の正弦波による対称三相交流による駆動ではない。従って、回転電機のＹ結線の中性点では、各相の電圧値が互いに打ち消しあって、常に零レベルになることは無く、何らかの電圧値が、生じていることは自ずと明らかである。例えば、非特許文献１などに記されるとおり、インバータ装置によって駆動される回転電機のＹ結線の中性点には、最大値はインバータ装置の電源電圧値にも達する凸状波形波及び方形波による周期的な大きな振幅の電圧変化を示す。そして、同非特許文献などに記されるとおり、この中性点の電位変化に起因して、回転軸の軸電圧として観測される。
【００１１】
非特許文献１などにも記されるように、インバータ装置からの各相の駆動電圧は、電動機の固定子の固定子巻線から固定子構成部材のインピーダンス成分を経て固定子の外部へ電気的エネルギーとして伝播する。この電気的エネルギーの伝播は、電動機の固定子及び回転子間の分布容量成分を介して、電動機の回転子へと伝播し、さらには、回転子構成部材のインピーダンス成分を経由して回転軸に到達する。ここで回転軸は、三相交流回路の等価的なＹ結線の中性点に位置することから、この回転軸には何らかの電位の変化が観測される。この電位の変化は、軸電圧と呼称されることは、上述のとおりである。
【００１２】
ところで、三相交流回路における各相の第３次高調波成分であるが、これは互いに相殺されることはなく、Ｙ結線の中性点にて観測され得ることは、周知のとおりである。またＹ結線の中性点にては、各相の不平衡成分も観測され得ることは、周知のとおりである。
【００１３】
さて、インバータ駆動であるが、具体的には、パルス幅変調（Ｐｕｌｓｅ  Ｗｉｄｔｈ  Ｍｏｄｕｌａｔｉｏｎ）方式（以下、ＰＷＭ方式という）のインバータにより駆動する方式を採用するケースが多い。こうしたＰＷＭ方式のインバータ駆動の場合、巻線の中性点の電位は零とならず何らかの電圧が発生する理由は、上述のとおりである。この中性点の電位変化と同様に、三相交流回路として解析した場合の等価的なＹ結線の中性点とも考察される回転電機の回転軸には、何らかの電位変化が生じることはいうまでもない。
【００１４】
インバータ駆動による軸電圧の発生に起因して、軸受の外輪と内輪との間に電位差が発生する。そして、軸電圧には、スイッチングによる高周波成分を含んでいる。軸電圧に起因する電位差が軸受内部の油膜の絶縁破壊電圧に達すると、軸受の内部に高周波電流が流れ、軸受内部には電食が発生する。この電食が進行した場合、軸受内輪または外輪の内部に波状摩耗現象が発生して異常音に至ることがあり、回転電機における代表的な不具合現象として、その解決が常に希求されている。
【００１５】
上述のごとく、この電食は、軸受材料がアーク放電によって損傷を受ける現象であり、軸電圧に起因する軸受の内輪と軸受の外輪との間に発生した電位差によって、軸受の内輪−玉−軸受の外輪という経路で軸電流が流れることによる。従って、回転電機の電食を抑制するためには、以下のような対策が提案される。
（１）軸受内輪と外輪を導通状態にする。
（２）軸受内輪と外輪を絶縁状態にする。
【００１６】
さて、上記（１）の具体的方法としては、軸受の潤滑剤を導電性にすることが挙げられる。ただし、導電性潤滑剤は、時間経過とともに導電性特性が劣化することや摺動信頼性に欠けるなどの課題がある。また、回転軸にブラシを設置し、導通状態にする方法も考えられるが、この方法もブラシ摩耗粉やスペースが必要となるなどの課題がある。
【００１７】
また、上記（１）の別の方法として、軸受を滑り軸受とする構成も考察される。例えば、金属焼結含油軸受を採用することによって、軸受部を導通状態にすることが可能である。周知のとおり、近年のＰＷＭ方式のインバータ駆動の回転電機では一対の玉軸受を採用する回転電機が主流となっているが、以前は一対のすべり軸受を用いる回転電機が見られた。例えば、特許文献６、特許文献７などに記されたものは一例である。軸受部は導通状態であるため放電の発生はなく、電食は生じないが、シャフトの回転精度は玉軸受を用いたものよりも劣り、また、軸受損失が大きいため、玉軸受を用いたものよりも電動機の効率が低下してしまうことは、周知のとおりである。
【００１８】
さて、上記（２）の具体的方法としては、軸受内部の転動体の材質を導電性材料の鉄などの金属材から絶縁体のセラミックス材などに置換することが挙げられる。この方法は、電食の防止には非常に効果はあるが、セラミックス材の場合はコストが高く、経済的側面の課題を招く。
【００１９】
また、上記（２）の別の方法として、軸受を絶縁性の滑り軸受とする構成も考察される。例えば、特許文献８などに記された樹脂を用いた絶縁性の滑り軸受を採用することによって、軸受部を絶縁状態にすることが可能である。絶縁性を有する軸受部には、電食は生じることはない。しかし、上述と同様に、シャフトの回転精度は玉軸受を用いたものよりも劣り、また、軸受損失が大きいため、玉軸受を用いたものよりも電動機の効率が低下してしまうことは、周知のとおりである。
【先行技術文献】
【特許文献】
【００２０】
【特許文献１】特開平８−３４０６３７号公報
【特許文献２】特公昭４７−４１１２１号公報
【特許文献３】特開昭５０−７６５４７号公報
【特許文献４】特開昭５７−１６５４９号公報
【特許文献５】特開平１０−３２９５３号公報
【特許文献６】特公昭６１−５２６１８号公報
【特許文献７】特開平８−２１４４８８号公報
【特許文献８】特開２０１１−４７４９５号公報
【非特許文献】
【００２１】
【非特許文献１】「富士時報  第７２巻、第２号（１９９９年２月）」、インバータ駆動誘導電動機の軸電圧  Ｐ．１４４〜Ｐ．１４９
【発明の概要】
【発明が解決しようとする課題】
【００２２】
上述のとおり、軸受を玉軸受から滑り軸受へと置換する構成の電動機を採用することで、電食の発生は抑制可能である。しかしながら、電動機のシャフトの回転精度は玉軸受を用いたものよりも劣り、また、軸受損失が大きいため、玉軸受を用いたものよりも電動機の効率も低下してしまうことが課題となる。
【００２３】
本発明の電動機は、上記課題に鑑みなされたものであり、電動機おける耐電食性と回転精度、高効率性を両立した新規な構成の電動機及びそれを備えた電気機器を提供することを目的とする。
【課題を解決するための手段】
【００２４】
第１の発明は、巻線を巻装した固定子と、前記固定子に対向して周方向に永久磁石を保持した回転体と、前記回転体を締結したシャフトとを含む回転子と、前記固定子が収容されると共にモールド成型により一体固定された樹脂製のケーシングとを備えた電動機において、前記樹脂製のケーシングには前記シャフトを回転自在に支承する軸受部を有する電動機である。
【００２５】
第２の発明は、第１の発明において、前記樹脂製のケーシングは、前記軸受部の材料組成と、前記軸受部を除く前記樹脂製のケーシングの材料組成とが異なる電動機である。
【００２６】
第３の発明は、第１の発明において、前記樹脂製のケーシングは、２色成型によって一体に成型される電動機である。
【００２７】
第４の発明は、第１の発明において、２色成型によって一体に成型される前記軸受部の材料組成と、前記軸受部を除く前記樹脂製のケーシングの材料組成との境界面は、前記軸受部の基部近傍である電動機である。
【００２８】
第５の発明は、第１の発明において、前記軸受部は、前記シャフトの軸方向の回転子側のみ、前記シャフトの負荷側のみ又は前記シャフトの軸方向の回転子側と負荷側の両方、のいずれかに突出する筒形状である電動機。
【００２９】
第６の発明は、第１の発明において、前記軸受部は、筒形状の内面部の、前記シャフトの軸方向又は／及び周方向に潤滑材を収容する溝部を有する電動機である。
【発明の効果】
【００３０】
本発明によれば、耐電食性と回転精度、高効率性を両立した電動機、およびそれを備えた電気機器を提供可能である。
【図面の簡単な説明】
【００３１】
【図１】本発明の実施例における電動機の軸方向の断面図
【図２】本発明の実施例における軸受部の径方向の断面図
【発明を実施するための形態】
【００３２】
以下、本発明について、図面及び表を参照しながら説明する。なお、以下の実施例によって本発明が限定されるものではない。
【実施例１】
【００３３】
図１は、本発明の実施例における電動機の断面を示した構造図である。本実施例では、電気機器としてのエアコン用に搭載され、送風ファンを駆動するための電動機を一例に挙げて説明する。また、本実施例では、回転子が固定子の内周側に回転自在に配置されたインナロータ型の電動機の例を挙げて説明する。
【００３４】
図１において、固定子鉄心１１には、固定子鉄心１１を絶縁するインシュレータとしての樹脂１３が介在して、固定子巻線１２が巻装されている。そして、このような固定子鉄心１１は、他の固定部材とともにモールド材としての樹脂製のケーシング２１にてモールド成形されている。本実施例では、これらの部材をこのようにモールド一体成形することにより、外形が概略円筒形状をなす固定子１０が構成されている。
【００３５】
固定子１０の内側には、空隙を介して回転子１４が挿入されている。回転子１４は、回転子の鉄心３１を含む円板状の回転体３０と、回転体３０の中央を貫通するようにして回転体３０を締結したシャフト１６とを有している。回転体３０は、固定子１０の内周側に対向して周方向に永久磁石であるフェライト樹脂の磁石３２を保持している。
【００３６】
回転子１４のシャフト１６には、シャフト１６を支持するケーシングの軸受部１５が構成されている。そして、シャフト１６の先端は球面形状の先端球状部１６ａを有しており、金属製のブラケット１７により保持されたスラスト板１９と接触している。以上のような構成により、シャフト１６が軸受部１５とスラスト板１９に支承され、回転子１４が回転自在に回転する。
【００３７】
さらに、本実施例の電動機には制御回路を含めた駆動回路を実装したプリント基板１８が内蔵されている。このプリント基板１８を内蔵したのち、ブラケット１７を固定子１０に圧入することにより、電動機が形成される。また、プリント基板１８には、巻線の電源電圧Ｖｄｃ、制御回路の電源電圧Ｖｃｃおよび回転数を制御する制御電圧Ｖｓｐを印加するリード線や制御回路のグランド線などの接続線２０が接続されている。
【００３８】
なお、駆動回路を実装したプリント基板１８上のゼロ電位点部は、大地のアースおよび１次側（電源）回路とは絶縁され、大地のアースおよび１次側電源回路の電位とは、フローティングされた状態である。ここで、ゼロ電位点部とは、プリント基板１８上における基準電位としての０ボルト電位の配線のことであり、通常グランドと呼ばれるグランド配線を示している。接続線２０に含まれるグランド線は、このゼロ電位点部、すなわちグランド配線に接続される。
【００３９】
また、駆動回路が実装されたプリント基板１８に接続される巻線の電源電圧を供給する電源回路、制御回路の電源電圧を供給する電源回路、制御電圧を印加するリード線および制御回路のグランド線などは、巻線の電源電圧を供給する電源回路に対する１次側（電源）回路、制御回路の電源電圧を供給する電源回路に対する１次側（電源）回路、これら１次側（電源）回路と接続された大地のアースおよび独立して接地された大地のアースのいずれとも電気的に絶縁されている。
【００４０】
つまり、１次側（電源）回路電位および大地のアースの電位に対して、プリント基板１８に実装された駆動回路は電気的に絶縁された状態であることから、電位が浮いた状態となっている。これは電位がフローティングされた状態とも表現され、よく知られている。また、このようなことから、プリント基板１８に接続される巻線の電源電圧を供給する電源回路および制御回路の電源電圧を供給する電源回路の構成は、フローティング電源とも呼称され、これもよく知られた表現である。
【００４１】
以上のように構成された本電動機に対して、接続線２０を介して各電源電圧および制御信号を供給することにより、プリント基板１８の駆動回路により固定子巻線１２が駆動される。固定子巻線１２が駆動されると、固定子巻線１２に駆動電流が流れ、固定子鉄心１１から磁界が発生する。そして、固定子鉄心１１からの磁界とフェライト樹脂の磁石３２からの磁界とにより、それら磁界の極性に応じて吸引力および反発力が生じ、これらの力によってシャフト１６を中心に回転子１４が回転する。
【００４２】
次に、本電動機のより詳細な構成について説明する。本発明の電動機は、モールド材である樹脂製のケーシング２１の軸受部１５がシャフトを支持した構造となっている。さらに、ケーシング２１の軸受部１５と軸受部以外の材料は、異なる組成を持ち、これを２色成型工法により成型されることが望ましい。
【００４３】
このようにケーシング２１が軸受部と一体になることにより、軸受部１５の内径と固定子鉄心１１の内径との同軸度精度が向上するため、シャフト１６を中心に回転する回転子１４の回転精度を向上可能である。
【００４４】
また、もし、ケーシング２１と軸受部１５を２色成型せずに、それぞれの成型品を挿入接着で固定する手段を用いた場合、軸受の外径とそれに対向したケーシングの内径とが、一定のクリアランスを持った嵌合となるため、そのクリアランスの分だけ、軸受の内径と固定子鉄心１１の内径との同軸度精度や円筒度精度が悪化し、回転子１４の回転精度が悪化してしまう。また、２色成型と比較すると接合強度も悪い。
【００４５】
さらに、他の手段として軸受をケーシング２１に圧入した場合、圧入の影響で軸受の内径が変形し、この場合もシャフト、及び回転子の回転精度が悪化してしまう。さらに、他の手段として、軸受を予め作成しておき、それをケーシング２１の樹脂材と一体成型する方法も考えられるが、その場合、軸受部１５がケーシング２１の樹脂材料の成型温度（通常１５０℃以上）に耐える必要があるため、樹脂軸受は高い耐熱性を持った高価な材料が必要となり、コストが高く、汎用的な電動機には採用できない。
【００４６】
また、２色成型は破線Ａを境界として、ケーシング２１の材料と軸受部１５の材料とが分割されるように成型されることが好ましい。このようにすることで、高絶縁、高強度の機能が要求されるケーシング２１と、摺動性の機能が要求される軸受部１５の最適化が図れる。また、ケーシング２１と軸受部１５は同系の樹脂材料を用いる方が、破線Ａ部のケーシング２１と軸受部１５との接合が良く、強度低下による割れ等を防止可能である。
【００４７】
また、ケーシング２１は電動機の構造材としての高強度、高絶縁、低コスト性を持たせるため、ガラス繊維等の無機フィラーが充填された樹脂が望ましい。一方、軸受部１５は、摺動性を阻害する無機フィラーを含んでいない同系の樹脂が望ましい。軸受部１５に使用可能な摺動性を阻害しない無機フィラーとしては、炭素繊維などがある。ケーシング２１はコストと成型性、電気絶縁性を考え、不飽和ポリエステル樹脂等を用いることが望ましい。
【００４８】
さらに、本発明の電動機における軸受部１５はシャフト１６との接触部の中心部において、軸受の周方向の溝部１５ｃが設けられており、軸受部１５の摺動部が出力側の溝部１５ａと反出力側の溝部１５ｂの２箇所に分割されている。このようにすることで、特許文献６、特許文献７などに記された電動機の構成、つまり、シャフトの両端に軸受を２箇所配置する構成よりも、２つの軸受摺動部間の同軸度が良くなるため、シャフト１６の回転精度が向上し、損失が少なく電動機の効率が良くなる。
【００４９】
また、摺動部の溝部１５ａと溝部１５ｂの長さは、出力側が長い方が、負荷に強く、回転精度が良く、１５ａ≧１５ｂとなることが望ましい。また、シャフト１６の摺動部の中央に溝部を設けて、摺動部を２箇所に分割する方法も採用可能である。
【００５０】
図２は本発明の電動機におけるシャフト１６と軸受部１５との摺動部を軸方向から見た断面図である。図３のように軸受部１５は軸方向に溝部１５ｄが形成され、溝部１５ｄの中には潤滑グリスが満たされている。このようにすることで、シャフト１６と軸受部１５はグリス潤滑し、軸損失が小さく摩耗が少ないことから、長寿命で安定的な摺動が達成可能である。
【００５１】
上記の構成により、電動機における耐電食性と回転精度、高効率性を両立した電動機が実現可能である。また、本発明の電気機器は、本発明の電動機を具備している。このため、軸受の電食発生を効果的に抑制する電動機を具備した電気機器を提供可能である。
【産業上の利用可能性】
【００５２】
本発明の電動機は、軸受の電食発生を抑制したものであり、主に低価格化及び高寿命化が希求されるエアコン室内機などの機器に搭載される電動機に有用であり、産業的価値の大いなるものである。
【符号の説明】
【００５３】
１０  固定子
１１  固定子鉄心
１２  固定子巻線
１３  樹脂（インシュレータ）
１４  回転子
１５  軸受部
１５ａ  溝部
１５ｂ  溝部
１５ｃ  溝部
１５ｄ  溝部
１６  シャフト
１６ａ  先端球状部
１７  ブラケット
１８  プリント基板
１９  スラスト板
２０  接続線
２１  ケーシング
３０  回転体
３１  鉄心
３２  磁石
【図１】
2015023648.tif 000003
【図２】
2015023648.tif 000004